(57)【要約】【課題】一体型のレンズプレートを用いた場合でも、操作時の見映えを損ねることなく、また、確実なスイッチング操作を行うことのできるレンズ押下型の照明装置を提供する。【解決手段】レンズプレート１８のガイドピン２２とキー２６が、ハウジング１２に形成された長溝２４とキー溝２８と摺動自在に係合保持されている。この時、レンズプレート１８は押下型スイッチ１６ａ，１６ｂの有する押下復元力によりハウジング１２の表面Ｐとレンズプレート１８の表面Ｒが略同一平面になるように支持される。その結果、レンズプレート１８の一端側を押下操作する場合、他端側は揺動中心として回転するのみで変位せず、ハウジング１２からレンズプレート１８の他端側が突出することがない。また、レンズプレート１８の左右端に形成されたキー２６により、レンズプレート１８は押下されても捻れず、押下型スイッチ１６ａ，１６ｂの押下操作を安定的に行うことができる。【選択図】図２
2005231518.tif 000002
【特許請求の範囲】
【請求項１】
板状のレンズであって、左右端のうち一端側を押下することにより他端側を揺動中心として揺動可能なレンズプレートと、
前記レンズプレートにより覆われる開口部を有し、当該レンズプレートの揺動を許容しつつ収納するハウジングと、
前記ハウジング内で前記レンズプレートに臨み、当該レンズプレートに対し少なくとも左右位置に配置され、レンズプレートを介して照明を行うバルブと、
前記ハウジング内で前記レンズプレートに対し左右端位置に配置され、当該レンズプレートの揺動動作により押下され前記バルブの点消灯の切り替えを行う押下型スイッチと、
を含み、
前記レンズプレートは、
揺動中心と平行で当該レンズプレートの略中央部に形成された第１ガイド部と、
左右端に形成された第２ガイド部と、
を有し、
前記ハウジングは、
前記第１ガイド部と摺動自在に係合する第１係合部と、
前記第２ガイド部と摺動自在に係合する第２係合部と、
を有することを特徴とするレンズ押下型の照明装置。
【請求項２】
請求項１記載の装置において、
前記第１係合部と第２係合部は、長溝形状を呈していることを特徴とするレンズ押下型の照明装置。
【請求項３】
請求項１または請求項２記載の装置において、
前記第２ガイド部及び第２係合部は、それぞれ複数形成されていることを特徴とするレンズ押下型の照明装置。
【請求項４】
請求項１から請求項３のいずれか１つに記載の装置において、
前記レンズプレートは、押下型スイッチの押下復元力により前記ハウジングの表面とレンズプレートの表面とが略平行姿勢で付勢されていることを特徴とするレンズ押下型の照明装置。
【請求項５】
請求項１から請求項４のいずれか１つに記載の装置において、
前記バルブは、
前記レンズプレートの左側と右側を照明する側方バルブと、レンズプレートの中央部を照明する中央バルブと、を含む３灯で構成されることを特徴とするレンズ押下型の照明装置。
【発明の詳細な説明】
【技術分野】
【０００１】
本発明は、レンズ押下型の照明装置、特に照明の点消灯の切り替え操作時の意匠性や操作性の低下抑制が可能なレンズ押下型の照明装置の改良に関する。
【背景技術】
【０００２】
通常、照明装置の点消灯の切り替えには、押下型やスナップ型のスイッチが利用されている。その中で、例えば、車両のルーフ部分等に配置されているオーバーヘッドタイプの室内灯やマップランプ（運転席や助手席の手元を照らすスポットランプ）等では、点灯時の光を所望の方向に導くレンズ部分を直接押下することにより、レンズ裏面側に内臓された押下型スイッチのオン・オフ切り替えを行うものがある。
【０００３】
図３（ａ）には、一般的なオーバーヘッドタイプでレンズ押下型の照明装置１００の外観概略図が示され、図３（ｂ）には、照明装置１００の内部構造を説明する部分断面図が示されている。通常、この照明装置１００は車両ルーフの先端側中央部分に配置され、運転席と助手席をそれぞれマップランプ１０２ａ，１０２ｂで照明するようになっている。図３（ａ），（ｂ）に示すように、この種のマップランプ１０２ａは、ハウジング１０４に形成された開口部１０４ａに、樹脂等で形成された通常半透明のレンズ１０６が揺動軸１０６ａを中心に揺動自在に配置されている。レンズ１０６の表面には揺動軸１０６ａと対向する側に押下位置を示す凸状マーク１０８が形成され、この部分を押下することにより、ハウジング１０４内部に配置された押下型スイッチ１１０が押下操作され、バルブ１１２の点消灯を行えるようになっている。なお、図３（ａ）において、マップランプ１０２ｂも同様な構造を有し、それぞれ、レンズ１０６が押下されることにより独立的に点消灯を行うようになっている。
【０００４】
なお、図３（ａ）の例では、マップランプ１０２ａ，１０２ｂの間に、例えば、サンルーフ等の開閉を行うオプションスイッチ１１４が配置され、さらに、マップランプ１０２ａ，１０２ｂと平行に例えばコンソールボックス１１６等が配置されている。
【０００５】
一方、近年では、前述した運転席側と助手席側のマップランプ１０２ａ，１０２ｂに室内灯を加えた３灯式の照明装置が採用されている。３灯式にする場合、図３（ａ）の構成において、オプションスイッチ１１４を配置していた場所に、室内灯用のレンズを設けることとなる。この場合、室内灯用のレンズを中央押下型としてもよし、レンズは固定型として別途操作スイッチを設けるようにしてもよい。
【０００６】
この場合、レンズは、マップランプ用及び室内灯用で３枚必要になり、部品点数が増加すると共に、それぞれ取り付け構造が複雑化したり、取り付けコストが必要になりコストアップの原因にもなっていた。
【０００７】
そこで、図４（ａ）に示すように、３枚のレンズを一体化した１枚のレンズプレート１１８として、当該レンズプレート１１８の略中央部１２０を揺動中心として、レンズプレート１１８を揺動させることにより、運転席側や助手席側のバルブ１１２を点消灯させる押下型スイッチ１１０を操作するようにしているものがある。この場合、部品点数の削減や取り付け構造の簡略化、取り付けコストの低減等に寄与することができる（例えば、特許文献１参照）。
【０００８】
【特許文献１】特開２００２−１９５２２号公報
【発明の開示】
【発明が解決しようとする課題】
【０００９】
上述のように、レンズプレート１１８を用いた構造の場合、部品点数の低減、取り付け構造の簡略化、組み立て工数の低減等が期待できるが、レンズプレート１１８が大型化するため、図４（ｂ）に示すように、レンズプレート１１８の一方端を押下した場合に、他方端がハウジング表面から突出し、操作時の見映えが悪くなるという問題があった。なお、非動作時のレンズプレート１１８の表面位置をハウジング１０４の表面より低くしておき、レンズプレート１１８を押下操作した場合でもハウジング表面から突出しないようにすることも考えられるが、非操作時にレンズプレート１１８がハウジング１０４に埋没した状態となり、意匠上やはり好ましくない。また、レンズプレート１１８の面積が大きくなるため、レンズプレート１１８上の偏った位置、例えば、図４（ａ）の矢印Ａで示す位置を押下した場合、レンズプレート１１８が捻れ、ハウジング内部に配置した押下型スイッチを良好に押下操作できなくなる可能性が増大するという問題が生じていた。
【００１０】
そこで、本発明は、上記課題を解消するために行われたものであり、一体型のレンズプレートを用いた場合でも、操作時の見映えを損ねることなく、また、確実なスイッチング操作を行うことのできるレンズ押下型の照明装置を提供することを目的とする。
【課題を解決するための手段】
【００１１】
本発明は、板状のレンズであって、左右端のうち一端側を押下することにより他端側を揺動中心として揺動可能なレンズプレートと、前記レンズプレートにより覆われる開口部を有し、当該レンズプレートの揺動を許容しつつ収納するハウジングと、前記ハウジング内で前記レンズプレートに臨み、当該レンズプレートに対し少なくとも左右位置に配置され、レンズプレートを介して照明を行うバルブと、前記ハウジング内で前記レンズプレートに対し左右端位置に配置され、当該レンズプレートの揺動動作により押下され前記バルブの点消灯の切り替えを行う押下型スイッチと、を含み、前記レンズプレートは、揺動中心と平行で当該レンズプレートの略中央部に形成された第１ガイド部と、左右端に形成された第２ガイド部と、を有し、前記ハウジングは、前記第１ガイド部と摺動自在に係合する第１係合部と、前記第２ガイド部と摺動自在に係合する第２係合部と、を有することを特徴とする。
【００１２】
この構成によれば、レンズプレートの第１ガイド部と第２ガイド部が、ハウジングに形成された第１係合部と第２係合部と摺動自在に係合保持されているので、レンズプレートの一端側を押下操作する場合、他端側は揺動中心として回転するのみで変位しない。つまり、ハウジングから他端側が突出することはない。また、レンズプレートの略中央部の第１ガイド部は、第１係合部に対し摺動するので、レンズプレートに不要な外力が加わることがない。さらに、レンズプレートの左右端に第２ガイド部が形成されているので、レンズプレートは押下されても捻れたりすることなく、押下型スイッチの押下操作を安定的に行うことができる。さらに、第１，第２ガイド部及び第１，第２係合部により、レンズプレートは、揺動以外の動作が抑制され、安定したスイッチング動作を行うことができる。
【００１３】
また、本発明は、上記構成において、前記第１係合部と第２係合部は、長溝形状を呈していることを特徴とする。
【００１４】
この構成によれば、レンズプレートの押下による揺動をスムーズに行うと共に、第１，第２ガイド部の摺動を良好に行うことができる。
【００１５】
また、本発明は、上記構成において、前記第２ガイド部及び第２係合部は、それぞれ複数形成されていることを特徴とする。
【００１６】
レンズプレートに複数の第２ガイド部を形成することにより剛性を向上させることが可能になり、レンズプレートの捻れを抑制することが可能となる。その結果、レンズプレートの偏った位置で押下操作を行った場合でも、良好な押下型スイッチの押下操作を行うことができる。
【００１７】
また、本発明は、上記構成において、前記レンズプレートは、押下型スイッチの押下復元力により前記ハウジングの表面とレンズプレートの表面とが略平行姿勢で付勢されていることを特徴とする。
【００１８】
この構成によれば、レンズプレートは非操作時、ハウジングの表面に対し平行姿勢を容易な構成により維持することができる。また、押下型スイッチの押下復元力を利用することにより、レンズプレートの揺動操作のメリハリを得ることができる。
【００１９】
また、本発明は、上記構成において、前記バルブは、前記レンズプレートの左側と右側を照明する側方バルブと、レンズプレートの中央部を照明する中央バルブと、を含む３灯で構成されることを特徴とする。
【００２０】
この構成によれば、３灯式の照明装置を容易に得ることができる。なお、中央バルブの点消灯スイッチは別途設けてもよいが、例えば、レンズプレートは、第１，第２ガイド部を備え、ハウジングはそれと係合する第１，第２係合部を備え、各部分で摺動可能になっているので、例えば、レンズプレートの略中央部を押下することにより、左右に設けられた押下型スイッチの両方を同時に押下することが可能である。この操作により中央バルブの点消灯を行うことも可能となる。もちろん、中央バルブを点灯させる時に、側方バルブが同時に点灯するようにしてもよいし、中央バルブのみが点灯するようにしてもよい。
【発明を実施するための最良の形態】
【００２１】
以下、本発明の実施の形態（以下実施形態という）を、図面に従って説明する。
【００２２】
図１（ａ）には、本実施形態のレンズ押下型の照明装置１０の分解斜視図が示されている。また図２（ａ）には、照明装置１０の非操作状態の断面図が示されている。なお、本実施形態では、照明装置１０を車両のルーフ先端近傍に配置するオーバーヘッドタイプの照明装置として示し、マップランプ及び室内灯が一体化されたタイプを例にとり説明する。
【００２３】
照明装置１０は、開口部１２ａを有し、車両のルーフに取り付け固定される箱形のハウジング１２と、当該ハウジング１２の箱形内部に配置される照明用のバルブ１４ａ，１４ｂ，１４ｃ（本実施形態では、一例として３灯タイプを示す）と、同様にハウジング内部に配置され、バルブ１４ａの点消灯の切り替えを行う押下型スイッチ１６ａと、バルブ１４ｂの点消灯の切り替えを行う押下型スイッチ１６ｂと、前記開口部１２ａを覆うと共に、非操作時はハウジング１２の表面Ｐと表面Ｒが略同一平面になるように配置される板状のレンズプレート１８等で構成されている。
【００２４】
レンズプレート１８は、左端または右端のうち一端側を押下することにより他端側を揺動中心として揺動するようにハウジング１２に収納支持されている。なお、揺動させるための構造に関しては後述する。また、ハウジング１２はレンズプレート１８を収納する機能のみを有する枠型形状でもよい。
【００２５】
押下型スイッチ１６ａ，１６ｂは、オルタネイトスイッチが好ましく、非操作時には復元位置（スイッチの非押下位置）に付勢されているスイッチシャフト２０によって、レンズプレート１８の左右の端部１８ａ（レンズプレート１８の短手方向の側視を示す図１（ｂ）参照）が支持され、図２（ａ）に示すようなハウジング１２の表面Ｐとレンズプレート１８の表面Ｒが略同一平面になるように保持されている。
【００２６】
レンズプレート１８は、例えば、所定の透光度を有する半透明の樹脂性プレートであり、ハウジング１２の内部構造が見えて意匠性を低下させてしまうことを防止している。また、レンズプレート１８において、図２（ａ）中の左側表面は、バルブ１４ａからの光を図２（ａ）中Ｌ方向に導くような形状を呈している。同様に、右側表面は、バルブ１４ｂからの光をＲ方向に導くような形状を呈している。さらに、レンズプレート１８の表面の左右両端には、レンズプレート１８を押下操作する時の操作位置の目安になる凸状マーク１８ｂが形成されている。この凸状マーク１８ｂ位置で押下操作を行うことにより、最も少ない力で最もスムーズなレンズプレート１８の揺動動作を行うことが可能となる。
【００２７】
前述したように、レンズプレート１８は、左右端のうち一端側を押下することにより他端側を揺動中心として揺動可能になるように構成されている。そこで、レンズプレート１８の略中央部には、図１（ａ），（ｂ）及び図２（ａ）に示すように、第１ガイド部として、円柱状のガイドピン２２が立設されている。また、ハウジング１２側には、ガイドピン２２を受け入れ可能な第１係合部として、例えば長溝２４が形成されている。つまり、ガイドピン２２が長溝２４中をスムーズに摺動できるようになっている。
【００２８】
また、レンズプレート１８の長手方向左右両端部には、図１（ｂ）に示すように、第２ガイド部として、キー２６がレンズプレート１８の面と直交する方向に延設されている。本実施形態においては、キー２６はレンズプレート１８の左右端にそれぞれ２本ずつ形成されている。また、ハウジング１２において、レンズプレート１８のキー２６に対応する位置には、第２係合部として、長溝形状のキー溝２８が形成されている。つまり、キー溝２８も左右に２本ずつ形成され、キー２６がキー溝２８の中をスムーズに摺動できるようになっている。
【００２９】
前述したように、レンズプレート１８は非操作状態で、押下型スイッチ１６ａ，１６ｂにより支持されている。つまり、フローティング状態で支持されている（図２（ａ）参照）。この状態から、例えば図２（ｂ）に示すように、レンズプレート１８の右側の凸状マーク１８ｂを操作力Ｆで押下操作すると、レンズプレート１８の右側のキー２６はハウジング１２の右側のキー溝２８に沿って摺動し、押下型スイッチ１６ｂを押下操作する。一方、レンズプレート１８の右側のキー２６は押下型スイッチ１６ａによる復元付勢力によりキー溝２８の上端部に付勢された状態、つまり、レンズプレート１８の左端部表面Ｓの高さとハウジング１２の表面Ｐの高さとが略同一になる状態で維持され、レンズプレート１８は図２（ｂ）に示すように、斜めに傾く。この時、レンズプレート１８の略中央部に立設されているガイドピン２２は長溝２４内で摺動自在であるため、レンズプレート１８の傾き動作をスムーズに許容することができる。なお、レンズプレート１８の一端側を押下操作する場合、ガイドピン２２は円弧状に斜め方向に移動することになるが、レンズプレート１８の押下ストロークは通常数ｍｍ（例えば、２ｍｍ）程度であるため、ガイドピン２２の摺動のために設定される長溝２４とのクリアランスにより許容することができる。従って、長溝２４はストレート形状でよい。もちろん、ガイドピン２２の円弧状運動を考慮し長溝２４の形状を円弧部を含むような形状に変更してもよい。
【００３０】
このように、レンズプレート１８は一端側が押下操作されると、他端側を揺動中心として揺動する。つまり、揺動中心となる他端側は、回転するのみで上下動作を伴わない。その結果、レンズプレート１８の押下操作を行ってもハウジング１２の表面Ｐからレンズプレート１８の表面Ｓが突出してしまうことがなく、レンズプレート１８の操作時の見映えの低下を防止することができる。
【００３１】
また、レンズプレート１８は、左右両端部にキー２６が形成され、キー溝２８に沿って摺動するようになっている。特に、本実施形態の場合、片側にキー２６が２本間隔をおいて形成されているので、レンズプレート１８の剛性を向上することができると共に、レンズプレート１８の偏った位置を押下操作してもレンズプレート１８は捻れを伴うことなく、押下型スイッチ１６ａ（１６ｂ）の押下操作を良好に行うことができる。
【００３２】
前述したように、レンズプレート１８は、押下型スイッチ１６ａ，１６ｂにより付勢支持されているので、操作力Ｆを取り除くと、レンズプレート１８は、図２（ａ）の非操作位置に復帰する。つまり、押下型スイッチ１６ａ，１６ｂの押下復元力によりレンズプレート１８は、特別な構造を設けることなくメリハリのある揺動動作を行うことが可能になる。同様に、レンズプレート１８の左端部を押下操作した場合も、右側のキー２６がキー溝２８の上端に当接した状態で、その当接部を揺動中心として、レンズプレート１８の揺動を行う。
【００３３】
なお、本実施形態では、ハウジング１２内部に３つのバルブ１４ａ，１４ｂ，１４ｃを配置している。このうち室内灯用のバルブ１４ｃの点消灯は、別途操作スイッチを設けてもよいが、本実施形態の照明装置１０の構造を利用することによりバルブ１４ｃの点消灯切り替えを行うことができる。つまり、レンズプレート１８は、２つの押下型スイッチ１６ａ，１６ｂによってフローティング状態で支持されている。また、レンズプレート１８の両端部及び略中央部は、それぞれキー２６とキー溝２８の摺動自在な係合、ガイドピン２２と長溝２４の摺動自在な係合により支持されている。そのため、レンズプレート１８の略中央部を押下するとレンズプレート１８は、ほぼ垂直に移動し、押下型スイッチ１６ａ，１６ｂをほぼ同時に押下する。押下型スイッチ１６ａ，１６ｂの同時操作によりバルブ１４ｃの点消灯を切り替えることができる。もちろん、この時、バルブ１４ｃのみの点消灯を行ってもよいし、バルブ１４ａ，１４ｂ，１４ｃが同時に点消灯するようにしてもよい。３つのバルブの同時点消灯を行う場合、室内照明時の光量確保を容易に行うことができる。
【００３４】
本実施形態においては、第１ガイド部を円柱状のガイドピン２２とし、第１係合部を長溝２４として説明したが、第１ガイド部、第１係合部の形状は任意であり、互いに摺動自在な構成であれば適宜その形状を選択可能であり、同様な効果を得ることができる。もちろん、第１ガイド部を長溝形状、第１係合部をガイドピン形状としてもよい。
【００３５】
同様に、第２ガイド部、第２係合部についても互いに摺動自在な構成であれば、例えば、第１ガイド部、第１係合部と同様に、ガイドピンと長溝にしてもよく、適宜その形状や形成数を選択可能であり、同様な効果を得ることができる。
【００３６】
また、本実施形態では、レンズプレート１８の非操作時の姿勢維持を押下型スイッチの復元力を用いて行う例を説明したが、レンズプレート１８の非操作時の姿勢維持用に別途付勢手段を設けてもよい。この場合、押下型スイッチは、レンズプレート１８の揺動動作によって操作可能な位置であれば任意に配置することが可能になり、設計の自由度向上に寄与することができる。
【００３７】
なお、図１等に示したレンズプレート１８やハウジング１２の形状も任意であり、レンズプレート１８の左右端のうち一端側を押下したときに他端側を揺動中心として揺動可能に、当該レンズプレート１８を保持するものであれば、適宜変更することが可能であり本実施形態と同様な効果を得ることができる。
【図面の簡単な説明】
【００３８】
【図１】本実施形態に係るレンズ押下型の照明装置の構造を説明する説明図である。
【図２】本実施形態に係るレンズ押下型の照明装置の構造及び操作状態を説明する説明図である。
【図３】従来の２灯タイプのレンズ押下型の照明装置の構造を説明する説明図である。
【図４】従来の３灯タイプのレンズ押下型の照明装置のレンズプレート及びその操作状態を説明する説明図である
【符号の説明】
【００３９】
１０  照明装置、１２  ハウジング、１２ａ  開口部、１４ａ，１４ｂ，１４ｃ  バルブ、１６ａ，１６ｂ  押下型スイッチ、１８  レンズプレート、１８ａ  端部、１８ｂ  凸状マーク、２０  スイッチシャフト、２２  ガイドピン、２４  長溝、２６  キー、２８  キー溝。
【図１】
2005231518.tif 000003
【図２】
2005231518.tif 000004
【図３】
2005231518.tif 000005
【図４】
2005231518.tif 000006